(57)【特許請求の範囲】
【請求項１】
土砂石材に付着した微生物や種子等の生物を駆除する生物駆除装置であり、
前記土砂石材を搬入する搬入部と、
前記土砂石材を搬送するコンベアと、
前記土砂石材を加熱する第１テンパー部および第２テンパー部と、
前記第１テンパー部と前記第２テンパー部との間に配置されて、前記土砂石材を回転させる連結部と、
前記土砂石材を外部に搬出する搬出部と、を備え、
前記第１テンパー部および第２テンパー部には、熱風を吹き出すテンパー用吹出管が設けられ、
前記連結部には、前記土砂石材を移動させる際に、前記土砂石材を回転させる滑り台を有する
ことを特徴とする生物駆除装置。
【請求項２】
前記連結部の前記滑り台は、入口と出口とを有し、
前記入口側の高さは、前記出口側の高さよりも高い位置にある
ことを特徴とする請求項１に記載の生物駆除装置。
【請求項３】
前記滑り台は、前記入口から前記出口に向かって傾斜している板状部材であることを特徴とする請求項２に記載の生物駆除装置。
【請求項４】
前記滑り台は、前記入口から前記出口に向かって配列される複数のローラーであることを特徴とする請求項１または２に記載の生物駆除装置。
【請求項５】
前記滑り台は、前記入口から前記出口に向かって配列される複数のローラーおよび前記複数のローラーの下方に配置される前記入口から前記出口に向かって傾斜している板状部材であることを特徴とする請求項１または２に記載の生物駆除装置。
【請求項６】
前記滑り台の表面上には、複数の突起が設けられていることを特徴とする請求項３〜５に記載の生物駆除装置。
【請求項７】
前記突起は、前記滑り台の表面上にランダムに配置されていることを特徴とする請求項６に記載の生物駆除装置。
【請求項８】
前記突起の高さが異なっていることを特徴とする請求項６または請求項７に記載の生物駆除装置。
【請求項９】
前記第１テンパー部の川上側に前記土砂石材を乾燥させる乾燥部を備えていることを特徴とする請求項１〜８の何れか１項に記載の生物駆除装置。
【請求項１０】
前記テンパー用吹出管から噴出する熱風は、３００℃以上であることを特徴とする請求項１〜９の何れか１項に記載の生物駆除装置。
【請求項１１】
前記土砂石材が岩石であることを特徴とする請求項１〜１０の何れか１項に記載の生物駆除装置。
【発明の詳細な説明】
【技術分野】
【０００１】
本発明は、生物駆除装置に関する。
【背景技術】
【０００２】
土木建設工事で使用する土砂石材の滅菌、除菌、駆除及び防除する滅菌処理装置（生物駆除装置）が知られている（特許文献１）。
【０００３】
特許文献１は、薬剤が噴霧・散布可能となるよう薬剤の配管と噴霧装置とを、土砂石材の連続的搬送手段内に搬送方向に配置した土砂石材の殺菌、除菌、駆除及び防除装置であり、大量の土砂石材を効率よく低コストで、労働安全衛生性も高く、人畜無害で、周辺自然環境へも悪影響を及ぼすこともなく行うことができることが開示されている。
【先行技術文献】
【特許文献】
【０００４】
【特許文献１】実用新案登録第３２００６３３号公報
【発明の概要】
【発明が解決しようとする課題】
【０００５】
しかしながら、特許文献１に記載されている滅菌処理装置は、薬剤を使用するため、薬剤の漏出等の危険性に対する防御、薬剤の無効化を処理する排出装置の設置等が必要となることから装置全体が大きくなり、設置場所へ排水処理から起因する環境汚染、装置の価格やメンテナンスの費用もかかる等の問題点があった。
【０００６】
また、特許文献１に記載されている滅菌処理装置では、構造上において加熱滅菌するための最高温度が低く、微生物や種子を含む生物が付着した、より大量の土砂石材を素早く処理（殺菌、滅菌、駆除）することができないという問題点があった。
【０００７】
本発明は上述した事情に鑑み、大量の土砂石材に付着した生物（特定外来生物、外来生物、昆虫、藻等を含む）を確実に駆除できる生物駆除装置を提供することを目的とする。
【課題を解決するための手段】
【０００８】
本発明の発明者は、上述した問題点に関して鋭意研究を続けた結果、以下のような画期的な生物駆除装置を見出した。
【０００９】
上記課題を解決するための本発明の第１の態様は、土砂石材に付着した微生物や種子等の生物を駆除する生物駆除装置であり、土砂石材を搬入する搬入部と、土砂石材を搬送するコンベアと、土砂石材を加熱する第１テンパー部および第２テンパー部と、第１テンパー部と第２テンパー部との間に配置されて、土砂石材を回転させる連結部と、土砂石材を外部に搬出する搬出部と、を備え、第１テンパー部および第２テンパー部には、熱風を吹き出すテンパー用吹出管が設けられ、連結部には、土砂石材を移動させる際に、土砂石材を回転させる滑り台を有することを特徴とする生物駆除装置にある。
【００１０】
かかる第１の態様では、搬送する土砂石材の加熱箇所を連結部の滑り台で回転させて変更させることで、満遍ない加熱と３００℃以上（好ましくは、５００℃以上）の吹出熱により土砂石材の中心部まで熱伝達を実現させ、土砂石材に付着した微生物や種子等の生物を確実に死滅させ駆除することができる。また、生物駆除装置の簡素化も図れる。
【００１１】
本発明の第２の態様は、連結部の滑り台は、入口と出口とを有し、入口側の高さは、出口側の高さよりも高い位置にあることを特徴とする第１の態様に記載の生物駆除装置にある。
【００１２】
かかる第２の態様では、自重落下により土砂石材の回転が行われ、土砂石材の加熱される箇所を容易に変更することができる安価な生物駆除装置を提供することができる。
【００１３】
本発明の第３の態様は、滑り台は、入口から出口に向かって傾斜している板状部材であることを特徴とする第２の態様に記載の生物駆除装置にある。
【００１４】
かかる第３の態様では、加熱された土砂石材を回転させることができる、簡単な構造でより安価な生物駆除装置を提供することができる。
【００１５】
本発明の第４の態様は、滑り台は、入口から出口に向かって配列される複数のローラーであることを特徴とする第１または第２の態様に記載の生物駆除装置にある。
【００１６】
かかる第４の態様では、加熱された土砂石材をスムーズにかつ確実に回転させることができる生物駆除装置を提供することができる。
【００１７】
本発明の第５の態様は、滑り台は、入口から出口に向かって配列される複数のローラーおよび複数のローラーの下方に配置される入口から出口に向かって傾斜している板状部材であることを特徴とする請求項１または２に記載の生物駆除装置にある。
【００１８】
かかる第５の態様では、径が大きい土砂岩石はローラーによって回転させられると共に、ローラーの間から落下する径が小さな土砂岩石は下方板状部材によって回転させされることになるので、より確実に加熱された土砂岩石を回転させることができる。
【００１９】
本発明の第６の態様は、滑り台の表面上には、複数の突起が設けられていることを特徴とする第３〜第５の態様の何れか１つに記載の生物駆除装置にある。
【００２０】
かかる第６の態様では、加熱された土砂石材を、より確実に回転させることができる生物駆除装置を提供することができる。特に岩石の場合、回転がより確実に行われることになる。
【００２１】
本発明の第７の態様は、突起は、滑り台の表面上にランダムに配置されていることを特徴とする第６の態様に記載の生物駆除装置にある。
【００２２】
かかる第７の態様では、ランダムに配置された突起に衝突することによって土砂石材が回転することになるので、回転に偏りがなく、加熱された土砂石材をくまなく回転させることができる生物駆除装置を提供することができる。
【００２３】
本発明の第８の態様は、突起の高さが異なっていることを特徴とする第６または第７の態様に記載の生物駆除装置にある。
【００２４】
かかる第８の態様では、高さが異なる突起に衝突することによって、加熱された土砂石材が回転することになるので、大きさの異なる土砂石材であっても、確実に回転させることができる。
【００２５】
本発明の第９の態様は、第１テンパー部の川上側に土砂石材を乾燥させる乾燥部を備えていることを特徴とする第１〜第８の態様の何れか１つに記載の生物駆除装置にある。
【００２６】
かかる第９の態様では、乾燥部によって土砂岩石の表面の水分およびその内部に浸み込んでいる水分を蒸発させた後で、第１テンパー部および第２テンパー部で、その土砂岩石を加熱することができるので、土砂石材に付着した微生物や種子等の生物を、より効率的に死滅させ駆除することができる。
【００２７】
本発明の第１０の態様は、テンパー用吹出管から噴出する熱風は、３００℃以上であることを特徴とする第１〜第９の態様の何れか１つに記載の生物駆除装置にある。
【００２８】
かかる第１０の態様では、土砂石材を３００℃以上で加熱することができ、土砂岩石に付着している生物（特に種子）を、より確実に駆除することができる。
【００２９】
本発明の第１１の態様は、土砂石材が岩石であることを特徴とする第１〜第１０の態様の何れか１つに記載の生物駆除装置にある。
【００３０】
かかる第１１の態様では、荷重があり大きさが異なる岩石であっても、土砂岩石の中心部まで加熱できる。その結果、土砂岩石の中心部からの放熱によりムラ無く加熱して生物を確実に死滅させ駆除することができるので、特に岩石の生物駆除に最適な生物駆除装置を提供することができる。
【図面の簡単な説明】
【００３１】
【図１】本発明に係る生物駆除装置の一例を示す模式図である。
【図２】本発明に係る生物駆除装置の連結部の第１実施形態の一例を示し、（ａ）は側面図、（ｂ）は突起を説明するための斜視図、（ｃ）は連結部の他の実施例の側面図である。
【図３】本発明に係る生物駆除装置の連結部の第２実施形態の一例を示し、（ａ）は側面図、（ｂ）は突起を説明するための斜視図、（ｃ）は連結部の他の実施例の側面図である。
【発明を実施するための形態】
【００３２】
以下に添付図面を参照して、本発明に係る生物駆除装置の実施形態を説明する。なお、本発明は、以下の実施形態に限定されるものではない。
（第１および第２実施形態）
【００３３】
図１は、本発明に係る生物駆除装置の一例を示す模式図である。図１に基づいて本実施形態の生物駆除装置を説明する。
【００３４】
本実施形態の生物駆除装置１は、主に埋め立て等に利用する土砂石材（岩石等）に関し、埋め立て地等への生物（特に特定外来種）の持ち込みを防止するために、予め利用する土砂石材を熱して、土砂石材に付着した生物である微生物や種子を消滅させる装置である。この生物駆除装置を用いることによって、埋め立て地等への生物（特に特定外来種）の侵入を防止することができるので、環境保全保護を図ることができる。
【００３５】
埋め立て地等に利用する土砂石材は、他府県や外国から埋め立て地等に持ち運ばれるが、これらの土砂石材には、採掘した現地の微生物や種子が付着している。本発明は、埋め立て地等へ生物（特に特定外来種）を持ち込まないために、岩石等に付着した微生物や種子を高温下で死滅させて駆除することを目的としている。
【００３６】
微生物や種子を死滅させる対象は、本発明において主に岩石であるが、以下、岩石等を「土砂石材」として説明する。また、駆除する対象物は主に微生物や種子であるが、以下では駆除対象物を「生物」として説明する。
【００３７】
生物駆除装置１は、図１に示すように、筐体２に支持され、土砂石材Ｓを搬入する搬入部１０と、搬入された土砂石材Ｓを搬送させるコンベア２０と、土砂石材Ｓを乾燥する乾燥部３０と、土砂石材Ｓを加熱する第１テンパー部４０ａおよび第２テンパー部４０ｂと、土砂石材Ｓを回転させる連結部５０と、土砂石材Ｓを搬出する搬出部１１とを備えている。なお、生物駆除装置１は、搬入部１０、コンベア２０、乾燥部３０、第１テンパー部４０ａ、第２テンパー部４０ｂ、連結部５０および搬出部１１の各部に電源を供給し、各部の可動を制御する制御部３を有していてもよい。
【００３８】
搬入部１０は、ベルトコンベア等で搬送されてきた土砂石材Ｓを、生物駆除装置１内に搬入するための入口である。
【００３９】
コンベア２０は、搬入部１０から搬入された土砂石材Ｓを生物駆除装置１内で搬送させる搬送装置であり、搬送部２１と搬送部２１を駆動する駆動部２２とを備えている。
【００４０】
搬送部２１は、土砂石材Ｓを載置させ、乾燥部３０、第１テンパー部４０ａおよび第２テンパー部４０ｂ内を搬送させるもので、例えばベルト式、チェーン式、ローラー式などがあるが、少なくとも３００℃に対応可能な材質（特に５００℃に対応可能な材質が好ましい）であればよい。駆動部２２は、例えばモーターであり搬送部２１の搬送スピード、駆動・停止等をコントロールすることができるようになっている。
【００４１】
乾燥部３０は、土砂石材Ｓをコンベア２０により搬送させながら、土砂石材Ｓの水分を除去する装置であり、第１テンパー部４０ａの川上側に配置されている。そして、乾燥部３０内のコンベア２０の上部には、熱風（例えば１００℃以上、好ましくは３００℃以上、さらに好ましくは５００℃以上）を吹き出す乾燥用吹出管３１と、吹き出された熱風の温度を均一化する乾燥用ファン３２とが、複数設置されている。
【００４２】
第１テンパー部４０ａおよび第２テンパー部４０ｂは、土砂石材Ｓをコンベア２０により搬送させながら、土砂石材Ｓに付着した微生物や種子などに熱風（３００℃以上、好ましくは５００℃以上）を当てて、完全に死滅させる装置である。そして、第１テンパー部４０ａおよび第２テンパー部４０ｂのコンベア２０の上部に、熱風を吹き出すテンパー用吹出管４１と、吹き出された熱風の温度を均一化するテンパー用ファン４２が、複数配置されている。
【００４３】
第１テンパー部４０ａおよび第２テンパー部４０ｂでは、土砂石材Ｓ（特に岩石）を少なくとも約３００℃の熱風下で２分間以上さらすことができ、テンパー用ファン４２より、土砂石材Ｓに満遍なく熱が行き渡ることが可能となっている。なお、乾燥部３０の乾燥用ファン３２の回転数をテンパー用ファン４２の回転数よりも早くして、乾燥を早めることもできる。
【００４４】
連結部５０は、本実施形態において、テンパー部４０ａとテンパー部４０ｂとの間に設置され、土砂石材Ｓを回転させ、相対的位置を変更させる装置である。連結部５０の詳細は、図２および図３に基づいて後述する。
【００４５】
搬出部１１は、コンベア２０の搬送部２１で搬送され生物が駆除された土砂石材Ｓを生物駆除装置１外部に搬出させる出口である。
【００４６】
図２は、本発明に係る生物駆除装置の連結部の第１実施形態の一例を示し、（ａ）は側面図、（ｂ）は突起を説明するための斜視図、（ｃ）は連結部の他の実施例の側面図である。図３は、本発明に係る生物駆除装置の連結部の第２実施形態の一例を示し、（ａ）は側面図、（ｂ）は突起を説明するための斜視図、（ｃ）は連結部の他の実施例の側面図である。図２及び図３に基づいて連結部５０の実施形態について説明する。
【００４７】
連結部５０は、筐体２と、筐体２に支持される滑り台５１とを備えている。滑り台５１は、第１実施形態では、図２に示すように板状部材５２からなり、第２実施形態では、図３に示すように複数のローラー５３からなる。また、第１テンパー部４０ａと連結している部分を入口５４、第２テンパー部４０ｂと連結している部分を出口５５として、以下説明する。
【００４８】
本実施形態において、連結部５０は、第１テンパー部４０ａと第２テンパー部４０ｂとの間に設置され、高低差による自重落下で土砂石材Ｓを回転させている。連結部５０の入口５４側の高さＨ１は、連結部５０の出口５５側の高さＨ２に比較して高い位置にあり（Ｈ１＞Ｈ２）。この配置により、滑り台５１は、入口５４から出口５５に向かって低くなるように傾斜している。そして、第１テンパー部４０ａのコンベア２０の搬送部２１の高さ位置が、第２テンパー部４０ｂの搬送部２１の高さ位置よりも高い位置にある配置となる。自重落下であるため、連結部５０の構造が簡素化されている。第１テンパー部４０ａの搬送部２１で搬送されてきた土砂石材Ｓが、連結部５０の滑り台５１に移動し、高低差のある滑り台５１上を滑り落ち、第２テンパー部４０ｂの搬送部２１に移動する。すなわち、連結部５０には、土砂石材Ｓを移動させる際に、土砂石材Ｓを回転させる滑り台５１を有する。土砂石材Ｓが回転する可能性のある箇所は３つある。すなわち、第１テンパー部４０ａから連結部５０の入口５４へ移動する場所、滑り台５１上および連結部５０の出口５５から第２テンパー部４０ｂに移動する場所である。
【００４９】
土砂石材Ｓは、大きさ、形状、重さ等がまちまちであるため、必ずしも土砂石材Ｓが回転するとは限らない。そこで、本実施形態では、土砂石材Ｓの回転を確実とするために、滑り台５１の表面上に複数の突起５６が設けられている。これらの突起５６を設けることにより、土砂石材Ｓが突起５６にぶつかり、滑り台５１の傾斜と相まって、土砂石材Ｓを回転させることができる。すなわち、第１テンパー部４０ａを搬出した土砂石材Ｓは、入口５４から連結部５０の傾斜した滑り台５１上を移動しながら回転して落下し、出口５５を通過して第２テンパー部４０ｂ内に搬入する。突起５６の配置は、規則的でも不規則（ランダム）でもよく、また、突起５６の高さや形状を変更してもよい。
【００５０】
特に、土砂石材Ｓが岩石である場合、コンベア２０で搬送中はその荷重により容易に回転せず、熱風に晒される部分が変わらない場合には、その温度分布に偏りがでる。岩石は、鉄等に比較して熱の入りが悪いため、連結部５０で強制的に回転させ、熱の当たる場所を変更している。
【００５１】
滑り台５１は、図２（ｃ）および図３（ｃ）に示すように、傾斜の異なる二つの滑り台、第１滑り台５１ａ、第２滑り台５１ｂで形成してもよい。特に、第２テンパー部４０ｂ側に設置される第２滑り台５１ｂの傾斜角θ２が、第１滑り台５１ａの傾斜角θ１に比較して緩やかであると（θ１＞θ２）、第２テンパー部４０ｂへの衝撃が緩和される（図２（ｃ）および図３（ｃ）参照）。また、第１滑り台５１ａに突起５６を設け、第２滑り台５１ｂに突起５６を設けなくてもよい。なお、滑り台５１の傾斜角は、土砂岩石が回転することができる角度であれば特に限定されないが、１１．３度〜２１．８度の範囲であれば土砂岩石を確実に回転させることができると共に、滑り落ちる土砂岩石が搬送部２１を傷つけ難いので好ましく、１５．０〜２０．０度の範囲であれば土砂岩石をより確実に回転させることができると共に、土砂岩石が搬送部２１を、より傷つけ難いのでより好ましい。
【００５２】
図３に示す連結部５０の第２実施形態において、滑り台５１は複数のローラー５３の集合であり、ローラー５３の中心軸が、筐体２に支持される支持棒５７に回転自在に取り付けられている。第２実施形態も第１実施形態と同様に、滑り台５１の表面上に複数の突起５６が設けられている。土砂石材Ｓの移動と共に、ローラー５３が回転し、土砂石材Ｓの移動をスムーズにしている。ここで、ローラー５３は、土砂岩石の自重により回転するようになっているが、駆動装置と連結し、ローラー５３を強制的に回転させて、土砂岩石を回転させるようにしてもよいのは言うまでもない。
【００５３】
また、滑り台５１の上面は、板状部材５２やローラー５３に限らず、土砂石材Ｓが回転する構造であることが望ましく、メッシュ構造や階段状の配列等で形成してもよい。
【００５４】
なお、搬送部２１をローラー式にして、各ローラーに突起を設けて搬送中に土砂石材Ｓを回転させて、熱の当たる部位を変更することも可能であるが、岩石等は重量があるため、連結部５０による回転が好ましい。
【００５５】
本実施形態では、第１テンパー部４０ａで熱を加えて生物駆除を行っているが、土砂石材Ｓが特に岩石の場合、熱がうまく岩石に吸収されず、岩石の表面に熱のムラが出ることがある。そこで、まず連結部５０で岩石を強制的に回転させて、熱風の当たる位置を変更する。その後、第２テンパー部４０ｂでその岩石に再び熱を当てているので、岩石にムラなく熱を与え、岩石への熱の入りをよくしている。岩石は溝や凹凸が多く、表面に熱を当てただけでは、溝や凹凸内に付着した生物は容易に死滅しない。そこで、本発明では、回転させて熱の当たる場所を変更することにより、岩石の中心部まで熱が伝わり、生物を完全に死滅させ、駆除することができるのである。
【００５６】
本実施形態において、乾燥部３０、第１テンパー部４０ａ、連結部５０および第２テンパー部４０ｂは、それぞれ筐体２に囲まれ、一つの密閉空間が形成されている。その結果、外部空気が筐体２内に入らないので、筐体内の温度が維持されている。また、搬入部１０、乾燥部３０、第１テンパー部４０ａ、連結部５０、第２テンパー部４０ｂおよび搬出部１１は、各部毎にユニット化することにより組み合わせが自由となり、設置場所の大きさ、処理量等に合わせて適切な組み合わせが可能となる。さらに、第１テンパー部４０ａが乾燥部３０を兼ねていてもよい。
【００５７】
以上説明したように、本実施形態の生物駆除装置１は、土砂石材Ｓを搬入する搬入部１０と、土砂石材Ｓを搬送するコンベア２０と、土砂石材Ｓを乾燥する乾燥部３０と、土砂石材Ｓを加熱する第１テンパー部４０ａおよび第２テンパー部４０ｂと、土砂石材Ｓを回転させる連結部５０と、土砂石材Ｓを外部に搬出する搬出部１１と、を備えている。そして、第１テンパー部４０ａおよび第２テンパー部４０ｂには、熱風を吹き出すテンパー用吹出管４１と、熱風の温度を均一化するテンパー用ファン４２とが設けられおり、連結部５０には、土砂石材Ｓを移動させる際に、土砂石材Ｓを回転させる滑り台５１を有する。
【００５８】
このように生物駆除装置１を構成することにより、搬送する土砂石材Ｓの加熱箇所を連結部５０の滑り台５１で回転させて変更させることで、満遍ない（熱ムラの無い）加熱と土砂石材の中心部までの加熱を実現させ、土砂石材Ｓに付着した微生物や種子等の生物を確実に死滅させ駆除することができる。また、生物駆除装置１の構造自体の簡素化も図れる。
【００５９】
本発明の生物駆除装置１の一態様として例えば、連結部５０の滑り台５１は、入口５４と出口５５とを有し、入口５４側の高さＨ１は、出口５５側の高さＨ２よりも高い位置にある。これにより、自重落下による土砂石材Ｓの回転が行われ、安価な装置で土砂石材Ｓの加熱される箇所を容易に変更することができる。
【００６０】
滑り台５１は、入口５４から出口５５に向かって傾斜している板状部材５２である。これにより、簡単な構造で土砂石材Ｓを回転させることができる。
【００６１】
滑り台５１は、入口５４から出口５５に向かって配列される複数のローラー５３である。これにより、土砂石材Ｓをスムーズに回転させることができる。
【００６２】
本発明の生物駆除装置１の一態様として例えば、滑り台５１の表面上には、複数の突起５６が設けられている。これにより、土砂石材Ｓを確実に回転させることができる。特に岩石の場合、回転が確実に行われる。
【００６３】
本発明の生物駆除装置１の一態様として例えば、突起５６は、滑り台５１の表面上にランダムに配置されている。これにより、回転に偏りがなく、土砂石材Ｓをくまなく回転させることができる。
【００６４】
本発明の生物駆除装置１の一態様として例えば、突起５６の高さが異なっている。これにより、大きさの異なる土砂石材Ｓであっても、確実に回転させることができる。
【００６５】
本発明の生物駆除装置１の一態様として例えば、テンパー用吹出管４１から噴出する熱風は、３００℃（好ましくは５００℃以上）である。これにより、土砂石材Ｓを加熱することができ、生物（特に種子）を確実に駆除できる。特に、土砂石材Ｓが岩石の場合、当該岩石の溝や凹凸内の奥に生物が付着しているため、高温下に曝すことにより、熱が岩石の中心部まで伝達し、生物を確実に死滅させることができる。
【００６６】
本発明の生物駆除装置１の一態様として例えば、土砂石材が岩石である。これにより、荷重があり大きさが異なる岩石であっても、むら無く加熱して、深くまで加熱させ、生物を確実に死滅させ駆除することができるので、特に岩石の生物駆除に最適な生物駆除装置１を提供できる。
（実施形態２）
【００６７】
上述した実施形態１では、滑り台を、板状部材または複数のローラーで構成したが、本発明はこれに限定されない。例えば、滑り台を、複数のローラーと、その下方に配置した板状部材とで構成してもよい。複数のローラーと板状部材の構成は、実施形態１で説明したものと同様のものを用いることができる。
【００６８】
このように構成することで、径が大きい土砂岩石はローラーによって回転させられると共に、ローラーの間から落下する径が小さな土砂岩石は下方板状部材によって回転させされることになるので、より確実に土砂岩石を回転させることができる。
【００６９】
なお、この場合には、板状部材の第２テンパー部側の端部の高さが、第２テンパー部のコンベアの搬送部の高さよりも高く構成される必要があるのは言うまでもない。
（他の実施形態）
【００７０】
上述した実施形態では、乾燥部を設けたが、本発明はこれに限定されない。乾燥部を設けずに生物駆除装置を構成しても、上述した実施形態よりも効率は悪くなるかもしれないが、同様の効果が得られる。
【００７１】
また、上述した実施形態では、滑り台は入口から出口に向かって傾斜している構造となっていたが、土砂石材が第１テンパー部から第２テンパー部に移動すると共に、土砂岩石を回転させることができるものであれば、特に限定されない。例えば、滑り台は、入口から出口に向かって階段状に傾斜した構造であってもよいし、土砂石材が堆積しないのであれば、一部に平面部があってもよい。
【００７２】
なお、本発明は、上述した実施形態に限定されるものではなく、適宜、変形、改良、等が可能である。その他、上述した実施形態における各構成要素の材質、形状、寸法、数値、形態、数、配置箇所等は本発明を達成できるものであれば任意であり、特に限定されない。
【産業上の利用可能性】
【００７３】
本発明の生物駆除装置は、土砂石材に付着した生物を簡単な装置で確実に駆除できる装置を望む分野に最適である。
【符号の説明】
【００７４】
１  生物駆除装置
２  筐体
３  制御部
１０  搬入部
１１  搬出部
２０  コンベア
２１  搬送部
２２  駆動部
３０  乾燥部
３１  乾燥用吹出管
３２  乾燥用ファン
４０ａ  第１テンパー部
４０ｂ  第２テンパー部
４１  テンパー用吹出管
４２  テンパー用ファン
５０  連結部
５１、５１ａ、５１ｂ  滑り台
５２  板状部材
５３  ローラー
５４  入口
５５  出口
５６  突起
５７  支持棒
Ｈ１  入口側の高さ
Ｈ２  出口側の高さ
Ｓ  土砂石材
【図１】
0006944731.tif 000002
【図２】
0006944731.tif 000003
【図３】
0006944731.tif 000004